(57)【要約】【課題】  可撓性容器へ食品等を装填し易くすること【解決手段】  ヘッダーストリーップとファスナー要素とスライダーとを備えた、再閉鎖可能な可撓性容器である。ヘッダーストリーップはバッグの口から延びていることが好ましく、このヘッダーストリーップはバッグの引き裂きを容易にするための脆弱ラインを含む。スライダーおよびプロフィルはバッグの口が実質的に開くようになっている。
2005521605.tif 000002
【特許請求の範囲】
【請求項１】
対向する一対の側面を有し、２つのエッジを備えた口を構成するバッグと、
一対のファスナーストリップとを備え、前記各ファスナーストリップが前記エッジの１つに沿って取り付けられ、前記各ファスナーストリップが相互ロックするプロフィル要素を含み、
前記ファスナーストリップに取り付けられたスライダーを更に備え、該スライダーが、前記プロフィル要素を相互ロックし、前記口を閉じるよう、第１方向に前記ファスナーストリップに沿って移動自在であり、更に前記プロフィル要素をアンロックし、前記口を開放するように前記第１方向と逆の第２方向に前記ファスナーストリップに沿って移動自在となっており、
前記側面の１つに沿って位置し、前記口の１つのエッジから延びるヘッダーストリーップを更に備え、該ヘッダーストリーップが前記ヘッダーストリップを前記バッグから分離するための引き裂きラインを含む、再閉鎖可能な可撓性容器。
【請求項２】
前記プロフィルが実質的にアンロックされ、前記口が実質的に開く、請求項１記載の容器。
【請求項３】
前記ファスナーストリップの１つが前記プロフィル要素の下方にフランジを含み、前記ヘッダーストリップが前記フランジの近くに位置する、請求項１記載の容器。
【請求項４】
前記バッグが一対の対向する側壁を含み、前記ヘッダーストリップが前記側壁のうちの１つと一体的となっている、請求項１記載の容器。
【請求項５】
前記ヘッダーストリップが前記容器をポストに取り付けるための少なくとも１つの孔を構成する、請求項１記載の容器。
【請求項６】
前記引き裂きラインに沿って前記ヘッダーストリップを引き裂くことによって、前記ヘッダーストリップを２つの部分に分離できる、請求項１記載の容器。
【請求項７】
各々が一対の側壁を有し、２つのエッジを備えた口を構成する複数のバッグを備え、該バッグが１つのグループとしてまとめられるよう取り付けられており、各口に沿って取り付けられたファスナーストリップを更に備え、該ファスナーストリップが前記口を閉じるよう繰り返し相互ロックしたり、前記口を開けるよう繰り返しアンロックできる、相互にロック可能なプロフィル要素を含み、
前記側面の１つに沿って位置し、前記口の１つのエッジから延びるヘッダーストリップとを備え、該ヘッダーストリップが前記ヘッダーストリップを分離するための引き裂きラインを含み、
前記プロフィルが実質的にアンロックされ、前記口が実質的に開放される、装置。
【請求項８】
前記各バッグが前記側壁の対を形成するように底部で折りたたまれ、前記ヘッダーストリップを形成するように前記１つの側壁の頂部エッジで折りたたまれたフィルムのシートを含む、請求項７記載の装置。
【請求項９】
前記各ヘッダーストリップが前記口の１つのエッジのみから延びる、請求項７記載の装置。
【請求項１０】
各口を横断して延びる不正操作証明シールを含まない、請求項７記載の装置。
【請求項１１】
可撓性フィルムのシートと細長い相互ロック可能なファスナーストリップとスライダーとを設ける工程と、
前記折りたたまれた側面の１つが他方の側面よりも長くなるようにシートを折りたたむ工程と、
長い方の側面に脆弱ラインを形成する工程と、
短い方の側面よりも長い側面の一部を折りたたむ工程と、
前記短いほうの側面のエッジ近くに前記ファスナーストリップの１つを取り付ける工程と、
長い方の側面の折りたたみ部の近くに前記ファスナーストリップの他方を取り付ける工程と、
前記相互ロック可能なファスナーストリップに前記スライダーを取り付ける工程とを備えた、再閉鎖可能な可撓性容器を製造するための方法。
【請求項１２】
前記ファスナーストリップをアンロックする工程を更に含む、請求項１１記載の方法。
【請求項１３】
前記ファスナーストリップに対して前記スライダーを移動することにより前記アンロックを行う、請求項１２記載の方法。
【請求項１４】
前記短い方の側面よりも長い側面の一部に少なくとも１つの孔を形成することを更に含む、請求項１１記載の方法。
【請求項１５】
短い方の側面よりも長い側面の一部を共に溶着することにより、複数の容器を共に取り付けることを更に含む、請求項１１記載の方法。
【発明の詳細な説明】
【技術分野】
【０００１】
本発明は再閉鎖可能な可撓性容器に関し、特にスライダーおよび引き裂きヘッドストリップを備えた、再閉鎖可能な可撓性容器に関する。本発明は空の状態で消費者に販売される容器だけでなく、内部に製品が含まれた状態で形成され、製品が充填され、シールされた後に消費者に販売される容器にも関する。
【背景技術】
【０００２】
使用の際に容器を互いに分離できるよう、複数の容器が１つにまとめられた状態に取り付けられた使用例で、再閉鎖可能な可撓性容器が提供される。この例として、肉の販売部門において店の従業員が使用するためにスーパーマーケットで提供される容器を挙げることができる。従業員が食品の注文を受けると、容器のグループから１つの容器を取り出し、販売すべき製品を容器に充填する。
【発明の開示】
【発明が解決しようとする課題】
【０００３】
かかる小売店では従業員が顧客にサービスするのにかかる時間を最短にすることが重要である。従って、表の面が下になった状態で従業員に与えられるバッグは、従業員の一部がバッグを元通りの向きに直すのに無駄な努力を払わなければならない。更に閉じた状態で提供される容器は商品を入れる前に開けなければならない。このことも従業員の時間を無駄にしている。
【０００４】
必要とされているものは、これら問題を克服した再閉鎖可能な可撓性容器である。本発明は新規かつ非自明にこのような容器を提供するものである。
【０００５】
本発明は再閉鎖可能な可撓性容器、特に１つのグループにまとめられているが、このグループから別々に分離される容器に関する。
【課題を解決するための手段】
【０００６】
本発明の１つの特徴によれば、各容器は容器の１つのエッジから延びるヘッダーシートを含み、このヘッダーシートは引き裂き分離を容易にするための脆弱ラインを含む。
【０００７】
本発明の別の特徴によれば、バッグの頂部、バッグの底部またはバッグの側面の１つから脆弱ラインを含むヘッダーシートが延びる。
【０００８】
本発明の更に別の特徴によれば、容器はバッグの口を開けるために繰り返しアンロックでき、バッグの口を閉じるために繰り返し相互ロックできる一対のファスナーストリップを含む。
【０００９】
本発明の更に別の特徴によれば、ファスナーを相互ロックおよびアンロックを容易にするためのスライダー要素を含む。容器の口が少なくとも部分的に開くようにスライダーが位置した状態でバッグをグループにすることが好ましい。
【００１０】
本発明の更に別の特徴は、ヘッダーストリップを有する、再閉鎖可能な可撓性容器を製造するための方法に関する。
【００１１】
図面、好ましい実施例の説明および特許請求の範囲から本発明の上記以外の実施例およびその他の実施例が明らかとなろう。
【発明を実施するための最良の形態】
【００１２】
本発明の原理の理解を容易にするために、以下、図面に示された実施例を参照し、実施例を説明するのに特別な用語を使用することにする。しかしながら、本発明の範囲を限定する意図はなく、図示された装置におけるかかる別の変形例および変更例、および本明細書に示したような本発明の原理のかかる別の応用例は、本発明が関連する技術分野の当業者には通常に想到できるものである。
【００１３】
本発明は、使用するまでの容器の取り付けを便利にするためのヘッダーストリップを含み、更に、使用中に容器の閉鎖を容易にするためのスライダーを含む容器の改善に関する。ヘッダーストリップは容器の口から延びる単一プライの可撓性材料であることが好ましい。
【００１４】
容器またはヘッダーストリップは、ユーザーがヘッダーストリップから容器を容易に分離できるようにするための脆弱ライン、例えば機械式ミシン孔またはレーザースコアによって形成した脆弱ラインを含むことが好ましい。一部の実施例では、ヘッダーストリップは１つ以上の孔を含み、この孔を通してヘッダーストリップおよび容器アセンブリを１本の糸で吊り下げできる。
【００１５】
別の実施例では、バッグの口からヘッダーストリップが延びている。更に内部の口は口のエッジの各々に沿ったファスナーストリップを含むことが好ましく、ファスナーストリップの各々は相互にロック可能なプロフィル要素を含む。プロフィル要素を容易に相互ロックし、アンロックできるようにするために、ファスナーストリップにはスライダーが取り付けられている。
【００１６】
スライダーおよびプロフィル要素はバッグの口が実質的に開くように配置し、構成することが好ましい。このように、バッグのユーザーが自分の手をファスナーストリップの間に入れ、バッグ内に挿入し、ヘッダーストリップからバッグを引き裂き、その後、容器に製品を充填するためにバッグを保持することが最も便利となっている。
【００１７】
一例として、このバッグは店の従業員が片手を使ってヘッダーストリップからバッグを引き裂き、もう一方の手でデリ（総菜）カウンターの製品を容器に入れるような状況、例えば食品店におけるデリカウンターでこのバッグは特に有効である。開いた口からヘッダーストリップが延びるこのような特殊な構造、好ましくはスライダーを備えた構造により、店の従業員が顧客の注文に応じるための動きおよび時間を節約できる。
【００１８】
図１は製品を入れるための再閉鎖可能な可撓性容器２０、すなわち空の状態で消費者に容器が販売される実施例のための有効な容器２０を示すが、本発明は容器の内部に製品が入れられた実施例も含むものである。更に本発明の一部の実施例は、構造体を成形し、充填し、シールする方法と共に使用するのに適している。閉鎖可能な可撓性容器を成形し、充填し、シールする方法の一例は、１９９７年１１月７日に発行された米国特許第5,956,924号に記載されており、この米国特許を本書で参考例として援用する。
【００１９】
容器２０は第１側壁２２と、第２側壁２４とを含み、これら側壁は適当な熱可塑性フィルム、例えば低密度ポリエチレン、線状低密度ポリエチレンまたは同様な材料から製造できる。側壁２２および２４は第１の横方向左サイドシール２８と、第２の横方向右サイドシール３０とを含む。これらシール２８および３０は超音波溶接方法および熱溶融方法を含む任意の方法で形成できる。容器２０は一対の相互にロックするファスナーストリップ３２および３４とほぼ反対の底部エッジ２６も含む。底部エッジ２６は側壁２２と２４との間に折りたたみ部を含んでもよいし、これとは異なり、エッジ２６は側壁２２と２４との間にシールを含んでもよい。
【００２０】
図２は側壁２２が側壁２４から離間した状態の図１の２−２線に沿った、図１の容器の拡大横断面図である。図１および２の双方に示されるように、相互ロック可能な１つ以上のプロフィル５０ならびに５２ａ、５２ｂを含む相互ロックファスナーストリップ３２および３４は、頂部エッジすなわち容器２０の頂部エッジ、すなわち口に沿って延びている。ファスナーストリップ３２および３４は押し出し成形方法によって製造することが好ましいが、本発明は任意の製造方法を含む。ファスナーストリップ３２および３４は超音波溶接、熱溶融または接着方法を含む任意の方法で側壁２２および２４に取り付けできる。ストリップ３２と３４とはエンドストッパー３６および３８で一体にシールされており、ストリップ３２と３４とは互いにシールされ、コーナーシール４０および４２にて側壁２２および２４にもシールされている。コーナーシール４０および４２は容器２０のそれぞれのエッジに沿って位置している。シール４０および４２は一般にファスナーストリップ３２のショルダー４５およびファスナーストリップ３４のショルダー４７の下方にそれぞれ位置し、ファスナーストリップ３２の内側フランジ４４の下方エッジ４５ａおよびファスナーストリップ３４の内側フランジ４６の下方エッジ４７ａよりも上にそれぞれ位置している。
【００２１】
本発明の一部の実施例では、プロフィル５０および５２は少なくとも１つの最上部および最底部のプロフィル要素から成る。１つのプロフィル要素は対向する側壁に結合された相補的な形状のプロフィルによって確実に把持できる構造で終端することが好ましい。図２および３を参照すると、装置３０はファスナーストリップ３４の雌型のプロフィル要素５２ａと５２ｂとの間で相互ロックする雄型プロフィル要素５０を含む。これらファスナーストリップおよびプロフィル要素については本明細書で参考例として援用する「再閉鎖可能な容器のためのスライダー」を発明の名称とし、２００１年１０月１７日に出願された米国仮特許出願第60/330,140号に更に記載されている。しかしながら、本発明はスライダーとコンパーチブルな任意のタイプのプロフィル要素の使用を可能にするものである。ファスナーストリップ３２と３４とが相互ロックされると、カバーフランジ４９ａと４９ｂとは重なった状態に配置され、容器２０の第２シールを構成する。図１に最良に示されるように、スライダー４８はファスナーストリップ３２と３４とにまたがり、このスライダーはこれらストリップ上でスライド可能である。スライダー４８はショルダー４５および４７により相互ロックするファスナーストリップにスライダー４８を係止する一対の足（図示せず）を含む。更にスライダー４８はプロフィル要素を相互ロック状態に押圧する幅の狭い開口部を含む閉鎖端部（図示せず）を含む。スライダー４８は更に開口端部の近くにセパレータ（図示せず）を含み、このセパレータはプロフィル要素を離間するように広げ、これら要素のアンロック（ロックを解除）する。ファスナープロフィルに沿ってスライダー４８が移動する結果、プロフィル要素５０と５２との相互ロックまたはプロフィル５０と５２のアンロックが生じる。本発明はスライダー、エンドストッパー、プロフィル、ドックステーションおよび本明細書で参考例として援用する２００１年２月２７日に出願された米国特許出願第09/704,592号に開示されている、再閉鎖可能な容器のその他の特徴を含むプロフィル要素をロックしたりアンロックするスライドの任意の構造を含むものである。
【００２２】
本発明の一部の実施例は、エンドストッパー３８および／またはエンドストッパー３６の近くに位置するドッキングステーション３９を更に含む。このドックステーションはスライダーのセパレータ要素を収納する場所を提供し、かつこれがなかった場合にファスナーストリップを分離するように働くセパレータからの力を緩和する。一例として、ドックステーションはエンドストッパーが冷却状態となる前に熱溶融されたエンドストッパーに隣接してスライダーを設けることによって形成できる。更に別の実施例では、ドッキングステーションは垂直スリット、水平スリット、ノッチまたはコーナーシールの近くでファスナーストリップに設けられたウィンドーのうちの１つとすることができる。本明細書で参考例として援用する「再閉鎖可能な容器のためのスライダー」を発明の名称とし、２００１年１０月１７日に出願された米国仮特許出願60/330,140号には、本発明が意図する、再閉鎖可能な可撓性容器の別の例が記載されている。
【００２３】
本発明の一実施例では、容器２０は不正操作されたことを証明するシールを含むことはできない。しかしながら、本発明の一部の実施例では容器２０は側壁２２と２４との間に不正操作されたことを証明するシールを含む。このシールは容器２０の開口部の内側を横断するように延びるフランジ４６および４４の延長とすることができる。しかしながら、本発明はファスナープロフィルおよびスライダーの一部をカバーする外部シールを含む、不正操作を証明するシールのその他の構造も含むものである。このシールはフランジ４４および４６と一体に成形してもよいし、または別々に取り付けてもよい。このシールは側壁２２および２４と一体に成形してもよいし、または別個に取り付けてもよい。シールが破壊されているか、または破壊されていないかは、容器が前に開けられたかどうかをユーザーに示す。不正操作を証明するシールは可食製品を容器２０に挿入する成形、充填およびシール装置を用いると特に有効である。本明細書で参考例として援用する、２００１年７月１０日に発行された米国特許第6,257,763号には、不正操作を証明するシールの別の例が記載されている。本発明ではレーザーでスコアを付けた、不正操作を証明する要素の更に別の形態も含むものであり、この別の形態は本明細書で参考例として援用する「スコア付き不正操作証明ジッパースライダー」を発明の名称とし、２００１年８月２４日に出願された米国仮特許出願第60/314,787号に記載されている。
【００２４】
図２は本発明の一実施例に係わる拡大横断面図である。口２３の片側から外側にヘッダーストリップ７０が延びており、このヘッダーストリップ７０の上部部分に１つ以上の開口部または孔７４が構成されている。ヘッダーストリップ７０は容器の側面２４の一体的部分であることが好ましく、一実施例では短い方の容器の側面２２の端部を約７．６ｃｍ（約３インチ）だけ越えて延びている。容器の側面２４をショルダー４７とファスナーストリップの底部エッジ４７ａの中間位置にて、ファスナーストリップ３４のフランジ４６に溶着することが好ましい。４７ａの下方にアタッチメントを設けることにより、スライダー４８の取り付け足（図示せず）が容器の側壁またはヘッダーストリップによって妨害されることなく、ショルダー４７の上を自由に移動できるようになっている。
【００２５】
口２３のエッジにほぼ平行な方向にスライダーヘッド７０の長手方向に沿って引き裂きラインまたは脆弱ライン７２を設けることが好ましい。この脆弱ラインはヘッダーストリップ７０の孔７４から、容器の側壁２４がファスナーストリップ３４に溶着された位置までの任意の場所に、ヘッダーストリップ７０に沿って設けることができる。この脆弱ライン７２は機械式スコアリングまたはミシン孔開け、レーザースコアリングまたはその他の任意の方法を含む任意の態様で形成できる。
【００２６】
図３は本発明に係わる別の実施例の横断面図を示す。要素の番号にプライム（’）の添え字を付けた表示（ＸＸ’）は、以下に説明し、示する変更例を除き、前に説明した要素（ＸＸ）と同じ要素であることを示す。ヘッダーストリップ７０’はプロフィル要素３４’に別個に取り付けられており、ヘッダーストリップ７０’は１つ以上の開口部または孔７４’を含む。ヘッダーストリップ７０’は口２３’のエッジにほぼ平行な方向にヘッダーストリップ７０’の長手方向に沿った脆弱ライン７２’を含むことが好ましい。ヘッダーストリップ７０’はスライダー４８のスライド動作を妨害しないよう、ショルダー４７’よりも下方の位置に溶着または接着によって取り付けることが好ましい。更に本発明は、ファスナーストリップと共にヘッダーストリップを一体に押し出し成形する実施例も含むものである。
【００２７】
図４は本発明の別の実施例に係わる装置８０の側面図である。装置８０は複数の容器２０を含み、これら容器は対応するヘッダーストリップ７０の隣接する部分を一体に溶着することにより、１つのグループ８１となるように共に取り付けられている。バー８２から容器のグループ８１を吊り下げるよう取り付けるのに適した態様で、隣接する貫通孔７４が整列するように、ヘッダーのストリップは共に溶着または接着されている。この場所８２はバー８２から容器２０が垂直下方に延びるよう、ポスト８４によって支持することが好ましい。ポスト８４は容器に収納すべき製品の近くに位置することが好ましい。本発明の更に別の実施例では、装置８０は、グループとなるようには共に取り付けられてはおらず、その代わりに、バー８２から個々に吊り下がっている複数の容器２０を含む。
【００２８】
図５は本発明の別の実施例に係わる、一部が製造された容器２１の側面図である。本発明のこの実施例では、吹き込み低密度ポリエチレン（ＬＤＰＥ）材料、または製造に適したその他の材料でスタートして、シート２１が製造される。アンプラス社のＭＳ１４００サーボマシンのようなバッグ装置を使い、フィルムシート２１は中心折りたたみ部２７を含むように折りたたまれ、この場合、一方の側面２４は短い方の側面２２よりも約７，６ｃｍ（約３インチ）長くなっている。前に述べたように、第２の側面２４には脆弱ライン７２が形成されている。この脆弱ライン７２は短い方の側面２２の自由エッジ２２ａにほぼ対向するように位置することが好ましい。この実施例では、底部折りたたみ部２７から脆弱ライン７２までの長さは、底部折りたたみ部２７から短い方の側面２２の自由エッジ２２ａまでの長さとほぼ同じである。しかしながら、本発明はこれら長さがかなり異なる実施例も含むものである。。
【００２９】
脆弱ライン７２を設けた後に、折りたたみ装置は部分７０を折りたたむ。次にシート２１のこの構造はファスナー取付装置に入り、この装置において自由エッジ７２に沿ってファスナーストリップが取り付けられ、脆弱ライン７２の近くに第２ファスナーストリップが貼り付けられる。シート２１に対してファスナーを貼り付けた後に、スライダーエンドストッパー４０および４２を形成し、シールされたサイドエッジ２８および２３を形成し、相互ロック可能なファスナーストリップにスライダー４８を取り付ける。しかしながら、異なるシーケンスのプロセスを使って本発明の装置を製造できる。例えばファスナーストリップを取り付けた後に脆弱ライン７２を形成してもよい。更に、ファスナーストリップをシート２１に取り付ける前にファスナーストリップにスライダー４８を取り付けてもよい。
【００３０】
スライダーおよびファスナーストリップを取り付けた後に、１つ以上の孔７４のパンチ加工を容易にするように、シート２１の折り曲げられた部分７０を折り曲げることが好ましい。一部の実施例ではヘッダーストリップ７０の隣接する部分を共に溶着することにより、多数の容器２０を共に取り付ける。共に溶着された容器２０の複数の容器８１は次にバー８２から吊り下げることができる。１つの容器の各スライダーは容器の口が実質的に開くような位置に置かれる。口を開けることによてユーザーは容器内に自分の指を挿入し、引き裂きラインに沿ってバーから容器を引き裂いて外すことが容易となり、容器は実質的に開口しているので、容器内に物体を容易に挿入できる。
【００３１】
以上で図面およびこれまでの説明で本発明について詳細に示し、記載したが、これら説明は単に発明を説明するためのものであって、発明の特徴を限定するものではない。単に好ましい実施例を示し、説明したものであり、発明の要旨の範囲内のすべての変形および変更の保護を求めることが理解できよう。
【図面の簡単な説明】
【００３２】
【図１】本発明の一実施例に係わる容器の底側面図である。
【図２】図１の２−２線に沿った、図１の容器の横断面図である。
【図３】本発明の別の実施例に係わる容器のの横断面図である。
【図４】本発明の別の実施例の側面図である。
【図５】本発明の別の実施例に係わる、一部を製造した容器の側面図である。
【符号の説明】
【００３３】
２０            容器
２２、２４      側壁
２８、３０      シール
２６            底部エッジ
３２、３４      ファスナーストリップ
３６、３８      エンドストッパー
４０、４２      シール
４４、４６      フランジ
５０            相互ロック可能なプロフィル
５２ａ、５２ｂ  プロフィル要素
【図１】
2005521605.tif 000003
【図２】
2005521605.tif 000004
【図３】
2005521605.tif 000005
【図４】
2005521605.tif 000006
【図５】
2005521605.tif 000007
【手続補正書】
【提出日】平成16年1月27日(2004.1.27)
【手続補正１】
【補正対象書類名】特許請求の範囲
【補正対象項目名】全文
【補正方法】変更
【補正の内容】
【特許請求の範囲】
【請求項１】
対向する一対の側面を有し、第１および第２エッジを備えた口を構成するバッグと、
一対のファスナーストリップとを備え、前記各ファスナーストリップが前記エッジの１つに沿って位置し、前記各ファスナーストリップが相互ロックするプロフィル要素を含み、
前記ファスナーストリップに取り付けられたスライダーを更に備え、該スライダーが、前記プロフィル要素を相互ロックし、前記口を閉じるよう、第１方向に前記ファスナーストリップに沿って移動自在であり、更に前記プロフィル要素をアンロックし、前記口を開放するように前記第１方向と逆の第２方向に前記ファスナーストリップに沿って移動自在となっており、
前記側面の１つに沿って位置し、前記口の１つのエッジから延びるヘッダーストリーップを更に備え、該ヘッダーストリーップが前記ヘッダーストリップを前記バッグから分離するための引き裂きラインを含む、再閉鎖可能な可撓性容器。
【請求項２】
前記プロフィルが少なくとも部分的にアンロックされており、前記口が少なくとも部分的に開いている、請求項１記載の容器。
【請求項３】
前記ファスナーストリップの１つが前記プロフィル要素の下方にフランジを含み、前記ヘッダーストリップが前記フランジの近くに位置する、請求項１記載の容器。
【請求項４】
前記バッグが一対の対向する側壁を含み、前記ヘッダーストリップが前記側壁のうちの１つと一体的となっている、請求項１記載の容器。
【請求項５】
前記ヘッダーストリップが前記容器をポストに取り付けるための少なくとも１つの孔を構成する、請求項１記載の容器。
【請求項６】
前記引き裂きラインに沿って前記ヘッダーストリップを引き裂くことによって、前記ヘッダーストリップを２つの部分に分離できる、請求項１記載の容器。
【請求項７】
一対の側壁を有し、２つのエッジを備えた口を構成するバッグと、
前記口に沿って取り付けられており、前記口を閉じるために繰り返し相互ロックでき、前記口を開けるために繰り返しアンロックできる、相互ロック可能なプロフィル要素を含むファスナーストリップと、
前記プロフィル要素を相互ロックし、前記口を閉じるために第１方向に前記ファスナーストリップに沿って移動でき、かつ前記プロフィル要素をアンロックし、前記口を開けるために第１方向と逆の第２方向に前記ファスナーストリップに沿って移動できるスライダーと、
前記側面の１つに沿って位置し、前記口の１つのエッジに沿って延びるヘッダーストリップとを備え、該ヘッダーストリップが前記ヘッダーストリップの分離を容易にするように構成されており、
前記プロフィルが少なくとも部分的にアンロックされ、前記口が少なくとも部分的に開いている、再閉鎖可能な可撓性容器。
【請求項８】
前記バッグが側壁の前記対を形成するように底部で折りたたまれ、前記ヘッダーストリップを形成するように前記１つの側壁の頂部エッジで折りたたまれたフィルムのシートを含む、請求項１記載の容器。
【請求項９】
前記バッグが側壁の前記対を形成するよう、底部で折りたたまれ、前記ヘッダーストリップを形成するよう、前記１つの側壁の頂部エッジの近くで折りたたまれたフィルムのシートを含む、請求項７記載の容器。
【請求項１０】
前記口を横断するように延びる不正操作証明シールを更に含む、請求項７記載の容器。
【請求項１１】
可撓性フィルムのシートと相互ロック可能な細長いファスナーストリップとスライダーとを設ける工程と、
前記折りたたまれた側面の１つが他方の側面よりも長くなるようにシートを折りたたむ工程と、
長い方の側面に脆弱ラインを形成する工程と、
短い方の側面よりも長い側面の一部を折りたたむ工程と、
前記短いほうの側面のエッジ近くに前記ファスナーストリップの１つを取り付ける工程と、
長い方の側面の折りたたみ部の近くに前記ファスナーストリップの他方を取り付ける工程と、
前記相互ロック可能なファスナーストリップに前記スライダーを取り付ける工程とを備えた、再閉鎖可能な可撓性容器を製造するための方法。
【請求項１２】
前記ファスナーストリップをアンロックする工程を更に含む、請求項１１記載の方法。
【請求項１３】
前記ファスナーストリップに対して前記スライダーを移動することにより前記アンロックを行う、請求項１２記載の方法。
【請求項１４】
前記短い側面よりも長い方の側面の一部に少なくとも１つの孔を形成する工程を更に含む、請求項１１記載の方法。
【請求項１５】
短い側面よりも長い方の側面の一部を共に溶着することにより、複数の容器を共に取り付ける工程を更に含む、請求項１１記載の方法。
【請求項１６】
一対の側壁を有し、２つのエッジを備えた口を構成する複数のバッグと、
前記口に沿って取り付けられており、前記口を閉じるため、相互ロック可能なプロフィル要素を含む一対のファスナーストリップと、
各々の１つが前記バッグの対応する１つのファスナーストリップに結合された複数のスライダーと、
前記各口の１つのエッジの近くまで延びるスライダーとを備え、前記各ヘッダーストリップが前記それぞれのバッグからヘッダーストリップの分離を容易にするようになっており、
前記各バックに対し、前記プロフィルが少なくとも部分的にアンロックされ、前記口が少なくとも部分的に開いている、装置。
【請求項１７】
前記ヘッダーストリップが側壁の１つと一体的となっている、請求項１６記載の装置。
【請求項１８】
前記ヘッダーストリップが前記バッグに別個に取り付けられている、請求項１６記載の装置。
【請求項１９】
前記各バッグが側壁の前記対を形成するよう、底部で折りたたまれ、前記ヘッダーストリップを形成するよう、前記１つの側壁の頂部エッジの近くで折りたたまれたフィルムのシートを含む、請求項１６記載の装置。
【請求項２０】
前記各ヘッダーストリップが前記口の１つのエッジのみから延びている、請求項１６記載の装置。
【請求項２１】
各口を横断するように延びた不正操作証明シールを更に含む、請求項１６記載の装置。
【請求項２２】
各ヘッダーストリップが１つの孔を構成し、前記グループの複数の孔が整合している、請求項１６記載の装置。
【請求項２３】
前記グループを実質的に垂直な配向に支持するためのスタンドを更に含む、請求項１６記載の装置。
【請求項２４】
各バッグが口と、各口に沿ったファスナーストリップを有し、前記ファスナーストリップが前記口を閉じるよう繰り返し相互ロック可能であり、口を開けるよう繰り返しアンロックできる一対の対向する相互ロック可能なプロフィル要素を有し、各バッグがこのバッグからヘッダーストリップを分離するための引き裂きラインを有するヘッダーストリップを含み、各バッグが前記ファスナーストリップを繰り返し開放したり閉じたりするためのファスナーストリップに結合されたスライダーを含む、複数のバッグを設ける工程と、
前記バッグの口に１本以上の指を挿入できるよう十分な大きさだけ前記ファスナーストリップを開けるように前記スライダーを設ける工程と、
前記ヘッダーストリップにより前記複数のバッグを支持する工程と、
前記開けられたファスナーストリップを通して１本以上の指を、支持されたバッグの口に挿入する工程と、
挿入された指によって前記バッグを引くことにより、前記ヘッダーストリップから前記バッグを分離する工程とを備えた方法。
【請求項２５】
前記支持する前に前記複数のバッグのヘッダーストリップの一部を共に溶着する工程を更に含む、請求項２４記載の方法。
【請求項２６】
前記各ヘッダーストリップが１つの孔を含み、１つの突出する部材を前記孔に通過させることにより前記支持を行う、請求項２４記載の方法。
【請求項２７】
前記ファスナーストリップの対が第１ファスナーストリップおよび第２ファスナーストリップであり、前記第１ファスナーストリップが前記側面のいずれとも一体的でなく、前記第１ファスナーストリップが前記口の前記第１エッジに隣接して前記側面の１つに取り付けられており、前記ヘッダーストリップが前記第１ファスナーストリップに沿った前記スライダーの移動を可能にするように前記第１ファスナーストリップの相互ロックプロフィル要素の下方位置から前記第１ファスナーストリップまたは前記側面より延びている、請求項１記載の容器。
【請求項２８】
前記ヘッダーストリップが可撓性材料の単一プライである、請求項１記載の容器。
【請求項２９】
前記口を横断して延びる不正操作証明シールを更に含む、請求項１記載の容器。
【請求項３０】
前記ヘッダーストリップが前記口の前記第２エッジに取り付けられていない、請求項１記載の容器。
【請求項３１】
ファスナーストリップの前記対が第１ファスナーストリップおよび第２ファスナーストリップであり、前記第１ファスナーストリップが前記側面のいずれかと一体的でなく、前記第１ファスナーストリップが前記口の前記第１エッジに隣接して前記側面の１つに取り付けられており、前記ヘッダーストリップが前記第１ファスナーストリップの相互ロックプロフィル要素の下方位置から前記容器より延びている、請求項１記載の容器。
【請求項３２】
前記ヘッダーストリップが前記容器をポストに取り付けるための少なくとも１つの孔を構成する、請求項３１記載の容器。
【請求項３３】
前記ヘッダーストリップが可撓性材料の単一プライである、請求項３２記載の容器。
【請求項３４】
前記口を横断して延びる不正操作証明シールを更に含む、請求項３３記載の容器。
【請求項３５】
前記プロフィルが実質的にアンロックされており、前記口が実質的に開いている、請求項３４記載の容器。
【請求項３６】
前記ファスナーストリップの少なくとも１つがフランジを含み、前記フランジに前記ヘッダーストリップが取り付けられている、請求項３記載の容器。
【請求項３７】
孔により前記容器をほぼ垂直の配向に支持するためのバーを有するスタンドを更に含む、請求項５記載の容器。
【請求項３８】
前記プロフィルが実質的にアンロックされており、前記口が実質的に開いている、請求項７記載の容器。
【請求項３９】
前記ヘッダーストリップが前記口をカバーしないようになっている、請求項７記載の容器。
【請求項４０】
前記ヘッダーストリップが前記容器を取り付けるための少なくとも２つの孔を構成する、請求項７記載の容器。
【請求項４１】
前記ヘッダーストリップが自らの上に折りたたまれていない、請求項７記載の容器。
【請求項４２】
ファスナーストリップの前記対が第１ファスナーストリップおよび第２ファスナーストリップであり、前記第１ファスナーストリップが前記側面のいずれとも一体的でなく、前記第１ファスナーストリップが前記口の前記第１エッジに隣接して前記側面の１つに取り付けられており、前記ヘッダーストリップが前記第１ファスナーストリップに沿った前記スライダーの移動を可能にするように前記第１ファスナーストリップの相互ロックプロフィル要素の下方位置から前記容器より延びている、請求項７記載の容器。
【請求項４３】
前記口を横断するように延びる不正操作証明シールを更に含む、請求項４２記載の容器。
【請求項４４】
前記ヘッダーストリップが前記容器から前記ヘッダーストリップの少なくとも一部を容易に分離するための引き裂きラインを含む、請求項４３記載の容器。
【請求項４５】
ヘッダーストリップが前記容器を取り付けるための孔を構成する、請求項４４記載の容器。
【請求項４６】
前記ヘッダーストリップが前記口をカバーしないようになっている、請求項４５記載の容器。
【請求項４７】
前記ヘッダーストリップが可撓性材料の単一プライである、請求項４６記載の容器。
【請求項４８】
前記各ヘッダーストリップが前記それぞれのファスナーストリップに沿った前記それぞれのスライダーの移動を妨害しないようになっている、請求項１６記載の装置。
【請求項４９】
ファスナーストリップの前記対が第１ファスナーストリップおよび第２ファスナーストリップであり、前記第１ファスナーストリップが前記側面のいずれかとも一体的でなく、前記第１ファスナーストリップが前記それぞれのヘッダーストリップに隣接して前記それぞれのバッグに取り付けられている、請求項４８記載の装置。
【請求項５０】
前記各ヘッダーストリップが前記それぞれのスライダーの底部より下方の位置から前記それぞれのバッグより延びている、請求項４９記載の装置。
【請求項５１】
前記各ヘッダーストリップが前記それぞれの側壁のいずれとも一体的でなく、前記各ヘッダーストリップが前記それぞれの側壁の１つに取り付けられており、前記それぞれの側壁の他方には取り付けられていない、請求項４８記載の装置。
【請求項５２】
前記各ヘッダーストリップが前記それぞれのスライダーの底部より下方の位置から前記それぞれのバッグより延びている、請求項５１記載の装置。
【請求項５３】
各バッグの前記ヘッダーストリップが隣接するバッグのヘッダーストリップと整合している、請求項１６記載の装置。
【請求項５４】
各バッグの前記ヘッダーストリップが隣接するバッグのヘッダーストリップに取り付けられている、請求項５３記載の装置。
【請求項５５】
前記各ヘッダーストリップが１つの孔を構成しており、前記グループの複数の孔が整合している、請求項１６記載の装置。
【請求項５６】
各バッグの後部が別のバッグの前部に隣接している、請求項１６記載の装置。
【国際調査報告】
2005521605.tif 000008
2005521605.tif 000009
2005521605.tif 000010
2005521605.tif 000011